(57)【特許請求の範囲】
【請求項１】
複数のコンテンツに対応付けた複数のコンテンツ表示子のそれぞれを、対応付けられたコンテンツの印象に応じた位置に配置してなる画像を表示部に表示させる表示制御部と、
上記画像上に配置された複数の上記コンテンツ表示子から２以上のコンテンツ表示子を選択する選択部と
を具え、
上記表示制御部は、
上記選択部により２以上のコンテンツ表示子が選択されると、当該選択された２以上のコンテンツ表示子のそれぞれに対応するコンテンツの並び順を示すように当該選択された２以上のコンテンツ表示子の間を結ぶ線分を、上記画像上に表示させ、
さらに上記表示制御部は、
上記線分により示される並び順にコンテンツが再生されるとき、当該コンテンツの再生位置に応じて、上記線分の表示形態を変える
表示装置。
【請求項２】
上記選択部は、
上記コンテンツの属性を示す属性情報に基づき、上記画像上に配置された複数の上記コンテンツ表示子から２以上のコンテンツ表示子を選択する
請求項１に記載の表示装置。
【請求項３】
上記コンテンツは楽曲データであり、
上記属性情報は、楽曲データの属性としてアーティスト名及び収録アルバム名を示し、
上記選択部は、
上記アーティスト名に基づき、上記画像上に配置された複数の上記コンテンツ表示子から２以上のコンテンツ表示子を選択し、
上記表示制御部は、
上記選択部により選択された２以上のコンテンツ表示子を、収録アルバム名が一致する楽曲データに対応するコンテンツ表示子毎に線分で結ぶ
請求項２に記載の表示装置。
【請求項４】
上記線分により示されるコンテンツの並び順を示すリストを生成するリスト生成部を具える
請求項１に記載の表示装置。
【請求項５】
上記表示制御部に対して、上記選択された２以上のコンテンツ表示子の間を結ぶ線分のうちの任意の線分を消去、または新たな線分を表示させるための線分編集部を具え、
上記リスト生成部は、
上記線分編集部により上記任意の線分が消去されると、当該任意の線分で結ばれていた一方のコンテンツ表示子に対応するコンテンツを含んだリストを生成すると共に、他方のコンテンツ表示に対応するコンテンツを含んだリストを生成し、
上記線分編集部により上記新たな線分が表示されると、当該新たな線分で結ばれた一方のコンテンツ表示子に対応するコンテンツを含んだリストと、他方のコンテンツ表示に対応するコンテンツを含んだリストとを結合したリストを生成する
請求項４に記載の表示装置。
【請求項６】
上記画像上に表示した線分を、上記画像上で移動させるための線分操作部と、
上記リスト生成部により生成されたリストと、当該リストに示されるコンテンツとを外部の転送先に転送する転送部と
を具え
上記表示制御部は、
上記画像上に、上記転送先を示す転送先表示子を表示し、
上記転送部は、
上記線分操作部により上記線分が上記転送先表示子上に移動させられると、上記リストと、当該リストに示されるコンテンツとを上記転送先に転送する
請求項４に記載の表示装置。
【請求項７】
上記表示制御部は、
上記転送部により上記コンテンツが転送されるとき、当該コンテンツの転送状況に応じて、転送される当該コンテンツに対応するコンテンツ表示子の表示形態を変える
請求項６に記載の表示装置。
【請求項８】
上記画像上に表示した線分を、上記画像上で移動させるための線分操作部と、
上記線分で結ばれた２以上のコンテンツ表示子のそれぞれに対応するコンテンツを外部の取得先から取得する取得部と
を具え、
上記表示制御部は、
上記画像上に、上記取得先を示す取得先表示子を表示し、
上記取得部は、
上記線分操作部により上記線分が上記取得先表示子上に移動させられると、上記線分で結ばれた２以上のコンテンツ表示子のそれぞれに対応するコンテンツを外部の取得先から取得する
請求項１に記載の表示装置。
【請求項９】
上記表示制御部は、
上記取得部により上記コンテンツが取得されるとき、当該コンテンツの取得状況を示すように、取得される当該コンテンツに対応するコンテンツ表示子の表示形態を変える
請求項６に記載の表示装置。
【請求項１０】
上記選択した２以上のコンテンツ表示子のそれぞれに対応するコンテンツを、上記表示した線分により示される並び順に再生する再生部を具える
請求項１に記載の表示装置。
【請求項１１】
上記線分で結ばれた２以上のコンテンツ表示子のそれぞれに対応するコンテンツを外部の取得先から取得する取得部を具え、
上記再生部は、
上記線分で結ばれた２以上のコンテンツ表示子のそれぞれに対応するコンテンツの再生時に、当該コンテンツを上記取得部により外部の取得先から取得して再生する
請求項１０に記載の表示装置。
【請求項１２】
上記再生部は、
上記線分で結ばれた２以上のコンテンツ表示子のそれぞれに対応するコンテンツを上記取得部により外部の取得先から取得した後に再生、または取得しつつ再生する
請求項１１に記載の表示装置。
【請求項１３】
上記再生部は、
上記コンテンツ表示子に対応するコンテンツと、当該コンテンツ表示子の近傍に位置するコンテンツ表示子に対応するコンテンツとのなかから、選択したコンテンツを再生する
請求項１０に記載の表示装置。
【請求項１４】
複数のコンテンツに対応付けた複数のコンテンツ表示子のそれぞれを、対応付けられたコンテンツの印象に応じた位置に配置してなる画像を表示部に表示させる画像表示ステップと、
上記画像上に配置された複数の上記コンテンツ表示子から２以上のコンテンツ表示子を選択する選択ステップと、
上記選択ステップで選択された２以上のコンテンツ表示子のそれぞれに対応するコンテンツの並び順を示すように当該選択された２以上のコンテンツ表示子の間を結ぶ線分を上記画像上に表示させる線分表示ステップと、
上記線分により示される並び順にコンテンツが再生されるとき、当該コンテンツの再生位置に応じて、上記線分の表示形態を変える線分表示形態変更ステップと
を具える表示方法。
【請求項１５】
情報処理装置に対して、
複数のコンテンツに対応付けた複数のコンテンツ表示子のそれぞれを、対応付けられたコンテンツの印象に応じた位置に配置してなる画像を表示部に表示させる画像表示ステップと、
上記画像上に配置された複数の上記コンテンツ表示子から２以上のコンテンツ表示子を選択する選択ステップと、
上記選択ステップで選択された２以上のコンテンツ表示子のそれぞれに対応するコンテンツの並び順を示すように当該選択された２以上のコンテンツ表示子の間を結ぶ線分を上記画像上に表示させる線分表示ステップと、
上記線分により示される並び順にコンテンツが再生されるとき、当該コンテンツの再生位置に応じて、上記線分の表示形態を変える線分表示形態変更ステップと
を実行させるための表示プログラム。
【発明の詳細な説明】
【技術分野】
【０００１】
本発明は表示装置、表示方法、表示プログラムに関し、例えば複数のコンテンツに対応する複数のコンテンツ表示子を表示する際に適用して好適なものである。
【背景技術】
【０００２】
従来、音楽コンテンツの印象を数値化した印象値を、複数の音楽コンテンツから取得し、この取得した複数の印象値のそれぞれを平面座標に変換して、それぞれの音楽コンテンツの印象に応じた位置に例えば点でなるコンテンツ表示子を配してなる平面画像を表示するようになされた表示装置が提案されている（例えば、特許文献１参照）。このようにしてこの表示装置は、複数の音楽コンテンツを、タイトルなどの文字情報としてではなく、それぞれの印象に応じた位置に配される点の集まりとしてユーザに呈示することにより、各音楽コンテンツの印象を、ユーザに対して視覚的に認識させ得るようになされている。
【０００３】
またこの表示装置では、平面画像に配された複数の点のうちの１つが選択されると、その選択された点に対応する音楽コンテンツのタイトルを別途表示するようになされ、さらに複数の点のうちの２つ以上が選択されると、その選択された２つ以上の点に対応する音楽コンテンツのタイトルを、任意の順（例えば選択された順）に並べたリストとして別途表示するようになされている。
【特許文献１】特開２００５−１０７７１公報（第１４頁、第１５頁、図７）
【発明の開示】
【発明が解決しようとする課題】
【０００４】
ところで、上述した従来の表示装置では、音楽コンテンツの印象に応じた位置に点が配された平面画像と、この平面画像上で選択された点に対応する音楽コンテンツのリストとを別々に表示するようになされているため、平面画像だけでは、選択された点に対応する音楽コンテンツがどのようにリスト化されたのかをユーザに認識させることができず、一方、リストだけでは、リスト内の各音楽コンテンツがどのような印象の音楽コンテンツであるのかを認識させることができない。
【０００５】
すなわち、ユーザは、選択された音楽コンテンツがどのような印象の音楽コンテンツであって、且つどのようにリスト化されたのかを、平面画像上で選択された各点とリスト内の各音楽コンテンツとを対応付けなければ認識することができず、結果として、選択された音楽コンテンツがどのような印象の音楽コンテンツであって、且つどのようにリスト化されたのかを容易に認識することができなかった。
【０００６】
本発明は以上の点を考慮してなされたもので、選択したコンテンツがどのような印象のコンテンツであって、且つどのようにリスト化されたのかをユーザに対して容易に認識させ得る表示装置、表示方法及び表示プログラムを提案しようとするものである。
【課題を解決するための手段】
【０００７】
かかる課題を解決するため本発明においては、複数のコンテンツに対応付けた複数のコンテンツ表示子のそれぞれを、対応付けられたコンテンツの印象に応じた位置に配置してなる画像を表示部に表示させる表示制御部と、画像上に配置された複数のコンテンツ表示子から２以上のコンテンツ表示子を選択する選択部とを設け、表示制御部が、選択部により２以上のコンテンツ表示子が選択されると、当該選択された２以上のコンテンツ表示子のそれぞれに対応するコンテンツの並び順を示すように当該選択された２以上のコンテンツ表示子の間を結ぶ線分を、画像上に表示させ、さらに表示制御部が、線分により示される並び順にコンテンツが再生されるとき、当該コンテンツの再生位置に応じて、線分の表示形態を変えるようにした。
【０００８】
これにより本発明では、画像上に配置されたコンテンツ表示子の位置によって、コンテンツの印象をユーザに視認させることができると共に、選択した２以上のコンテンツ表示子の間を結ぶ線分によって、選択した２以上のコンテンツ表示子のそれぞれに対応するコンテンツの並び順をユーザに視認させることができるので、選択したコンテンツがどのような印象のコンテンツであって、且つどのようにリスト化されたのかを、同一画像上でユーザに認識させることができる。
【発明の効果】
【０００９】
本発明によれば、画像上に配置されたコンテンツ表示子の位置によって、コンテンツの印象をユーザに視認させることができると共に、選択した２以上のコンテンツ表示子の間を結ぶ線分によって、選択した２以上のコンテンツ表示子のそれぞれに対応するコンテンツの並び順をユーザに視認させることができるので、選択したコンテンツがどのような印象のコンテンツであって、且つどのようにリスト化されたのかを、同一画像上でユーザに認識させることができ、かくして、選択したコンテンツがどのような印象のコンテンツであって、且つどのようにリスト化されたのかをユーザに対して容易に認識させ得る表示装置、表示方法及び表示プログラムを実現できる。
【発明を実施するための最良の形態】
【００１０】
以下図面について、本発明の一実施の形態を詳述する。
【００１１】
（１）第１の実施の形態
（１−１）概要
まず図１を用いて、本発明の第１の実施の形態の概要を説明する。ちなみにこの概要を説明した後、第１の実施の形態を具体的に説明する。
【００１２】
図１に示す表示装置１は、複数のコンテンツに対応付けた複数のコンテンツ表示子のそれぞれを、対応付けられたコンテンツの印象に応じた位置に配置してなる画像を表示部２に表示させる表示制御部３と、画像上に配置された複数のコンテンツ表示子から２以上のコンテンツ表示子を選択する選択部４とを有し、選択部４により２以上のコンテンツ表示子が選択されると、表示制御部３が、選択された２以上のコンテンツ表示子のそれぞれに対応するコンテンツの並び順を示すように、選択された２以上のコンテンツ表示子の間を結ぶ線分を、画像上に表示させるようになされている。
【００１３】
このような構成により、この表示装置１では、画像上に配置されたコンテンツ表示子の位置によって、コンテンツの印象をユーザに視認させることができると共に、選択した２以上のコンテンツ表示子の間を結ぶ線分によって、選択した２以上のコンテンツ表示子のそれぞれに対応するコンテンツの並び順をユーザに視認させることができるので、選択したコンテンツがどのような印象のコンテンツであって、且つどのようにリスト化されたのかを、同一画像上でユーザに認識させることができるようになされている。
【００１４】
（１−２）記録再生装置の構成
次に、上述の表示装置１を適用した具体例である記録再生装置について図２を用いて説明する。この図２において、１０は全体として楽曲データを記録して再生する記録再生装置を示し、ＣＰＵ（Central Processing Unit）１１と、ハードディスクドライブ１２、ＲＯＭ１３、ＲＡＭ１４、操作キー１５、ネットワークインタフェース１６、ＣＤ（Compact Disc）ドライブ１７、音声処理部１８、表示コントローラ１９、及び外部機器インタフェース２０とが、バス２１を介して接続され、さらに表示コントローラ１９には、ディスプレイ２２が接続され、音声処理部１８には、スピーカ２３が接続されている。ちなみに、ディスプレイ２２及びスピーカ２３は、記録再生装置１０の一部であってもよいし、別途外部に接続されていてもよい。
【００１５】
そしてこの記録再生装置１０は、ＣＰＵ１１が、ハードディスクドライブ１２またはＲＯＭ１３から読み出したプログラムに従って全体を統括的に制御すると共に各種処理を実行するようになされ、この各種処理で扱うデータ及びプログラムを、適宜、ＲＡＭ１４に記憶させるようになされている。
【００１６】
つまりＣＰＵ１１は、ユーザにより操作キー１５を介して、ネットワーク上の楽曲配信サーバ（図示せず）から配信される楽曲データを取得する命令が入力されると、楽曲データの配信を要求する要求信号を、ネットワークインタフェース１６を介して楽曲配信サーバに送信する。そしてＣＰＵ１１は、取得要求に応じて楽曲配信サーバ１１から送信されてくる楽曲データを、ネットワークインタフェース１６を介して受信し、ハードディスクドライブ１２に記録する。ちなみに楽曲配信サーバは、記録再生装置１０に対し、要求された楽曲データと共に、当該楽曲データに基づく楽曲の曲名、アーティスト名、収録アルバム名、収録アルバム内のトラック番号、収録アルバムのジャケット画像の記録場所、ジャンル名、楽曲データ固有の楽曲識別子などを含んだ楽曲関連情報を配信している。従ってＣＰＵ１１は、楽曲配信サーバによる楽曲データの配信を利用した場合、楽曲データと共に、楽曲関連情報もネットワークインタフェース１６を介して受信してハードディスクドライブ１２に記録するようになされている。
【００１７】
またＣＰＵ１１は、ユーザにより操作キー１５を介して、ＣＤドライブ１７に装填されたＣＤに記録されている楽曲データをハードディスクドライブ１２に記録する命令が入力されると、ＣＤの楽曲データ記録領域に記録された楽曲データをＣＤドライブ１７により読み出して、この読み出した楽曲データをハードディスクドライブ１２に記録する。ところでＣＤには、楽曲データ記録領域に加えて管理データ記録領域が設けられ、この管理データ記録領域に、楽曲データ記録領域に記録されている楽曲データの再生時間及び再生順序などを示すＴＯＣ（Table Of Contents ）と呼ばれる管理データが記録されている。そこでＣＰＵ１１は、この管理データを、ネットワークインタフェース１６を介してネットワーク上の楽曲関連情報提供サーバ（図示せず）に送信することで、この楽曲関連情報提供サーバから、ＣＤに記録されている楽曲データに関連する楽曲関連情報を得、これをハードディスクドライブ１２に記録するようになされている。
【００１８】
このようにして記録再生装置１０は、楽曲配信サーバ、楽曲関連情報提供サーバ、ＣＤなどから楽曲データとその楽曲関連情報とを取得して、これらをハードディスクドライブ１２に記録して保持し得るようになされている。
【００１９】
さらにＣＰＵ１１は、ユーザにより操作キー１５を介して、ハードディスクドライブ１２に記録している楽曲データを再生する命令が入力されると、ハードディスクドライブ１２から楽曲データを読み出して、この読み出した楽曲データを音声処理部１８に入力する。音声処理部１８は、入力された楽曲データに対してデコード処理などのデジタル処理を施した後、デジタルアナログ変換処理及び増幅処理などのアナログ処理を施すことにより、楽曲データに基づく音声信号を得、この音声信号に基づく音声をスピーカ２３を介して出力する。このようにして記録再生装置１０は、ハードディスクドライブ１２に記録した楽曲データを再生し得るようにもなされている。
【００２０】
さらにＣＰＵ１１は、ユーザにより操作キー１５を介して、ハードディスクドライブ１２に記録している楽曲データを外部機器インタフェース２０に接続された外部機器に転送する命令が入力されると、ハードディスクドライブ１２から楽曲データを読み出して、この読み出した楽曲データを外部機器インタフェース２０を介して外部機器に転送する。このようにして記録再生装置１０は、ハードディスクドライブ１２に記録した楽曲データを、外部機器インタフェース２０に接続された外部機器に転送し得るようにもなされている。
【００２１】
さらにＣＰＵ１１は、上述した楽曲データの取得、再生、記録及び転送などに関する各種ＧＵＩ（Graphical User Interface）画面を表示コントローラ１９を介してディスプレイ２２に表示するようにもなされている。
【００２２】
ところで、本実施の形態の記録再生装置１０の場合、ＣＰＵ１１は、ハードディスクドライブ１２に対して楽曲データを記録する際、この楽曲データを周波数解析等によって分析するようにもなされている。そしてＣＰＵ１１は、その分析結果から、楽曲データに基づく楽曲毎の印象を表すための例えば速さ（すなわちテンポ）、音色及び年代といった３種類の項目それぞれを数値化して第１乃至第３の印象項目値を得る。
【００２３】
ここで、楽曲の印象を表すための３種類の項目のうち速さについては、図３に示すように、楽曲が遅い感じの曲から速い感じの曲までの間でどのような感じであるかを表すものであり、数値化して得られる値（すなわち第１の印象項目値）が小さいほど遅い感じの強い楽曲を示し、この値が大きいほど速い感じの強い楽曲を示している。また、かかる３種類の項目のうち音色については、楽曲がアナログ的な感じの曲からデジタル的な感じの曲までの間でどのような感じであるかを表すものであり、数値化して得られる値（すなわち第２の印象項目値）が小さいほどアナログ的な感じの強い楽曲を示し、この値が大きいほどデジタル的な感じの強い楽曲を示している。さらに、かかる３種類の項目のうち年代については、楽曲が古い感じの曲から新しい感じの曲までの間でどのような感じであるかを表すものであり、数値化して得られる値（すなわち第３の印象項目値）が小さいほど古い感じの強い楽曲を示し、この値が大きいほど新しい感じの強い楽曲を示している。
【００２４】
このような第１乃至第３の印象項目値を得ると、ＣＰＵ１１は、これらと楽曲関連情報とを用いて、図４に示すような楽曲毎の楽曲分析情報３０を生成し、これをハードディスクドライブ１２に記録する。ここで、この楽曲分析情報３０は、分析した楽曲データを識別するための楽曲識別子ＳＳ（例えば「C:\MP3\AAA\ABC.mp3」）と、分析した楽曲データに基づく楽曲の収録アルバム名ＡＬ（例えば「all songs」）と、アーティスト名ＡＴ（例えば「my band」）と、第１の印象項目値ＳＰ（例えば「123」）と、第２の印象項目値ＥＬ（例えば「50」）と、第３の印象項目値ＮＥ（例えば「25」）とでなる。ちなみにここでは、例えば、分析した楽曲データの記録場所を示すパスを楽曲識別子ＳＳとする。
【００２５】
そしてＣＰＵ１１は、ユーザにより操作キー１５を介して、ハードディスクドライブ１２に記録している複数の楽曲のなかから所望の楽曲を選択するための楽曲選択画面（詳しくは後述する）を表示する命令が入力されると、まずハードディスクドライブ１２に記録している全ての楽曲分析情報３０を読み出す。次に、ＣＰＵ１１は、読み出した個々の楽曲分析情報３０に含まれる１組の第１、第２及び第３の印象項目値ＳＰ、ＥＬ及びＮＥの３値を、互いに直交する３つの座標軸（すなわちＸ軸、Ｙ軸、Ｚ軸）及びこれらの交点（すなわち原点）を基準とした三次元空間座標に変換する。すなわちＣＰＵ１１は、例えば、１組の第１、第２及び第３の印象項目値ＳＰ、ＥＬ及びＮＥのうちの例えば第１の印象項目値ＳＰをＸ座標とし、第２の印象項目値ＥＬをＹ座標とし、第３の印象項目値ＮＥをＺ座標とする。
【００２６】
そしてＣＰＵ１１は、読み出した全ての楽曲分析情報３０をもとに、ハードディスクドライブ１２に記録している全ての楽曲データのそれぞれに対応する三次元空間座標を得ると、図５に示すように、得られた全ての三次元空間座標のそれぞれに、楽曲を示す点状のの楽曲表示子ＳＩを配置してなる三次元画像３Ｄを表す三次元画像データを生成する。
【００２７】
ここで、この三次元画像データによって表される三次元画像３Ｄは、各楽曲の第１、第２及び第３の印象項目値ＳＰ、ＥＬ及びＮＥの３値を三次元空間座標とする位置に各楽曲表示子ＳＩが配置されていることにより、楽曲表示子ＳＩの位置が、３種類の項目を網羅して楽曲の印象を的確に表すことになる。よって、この三次元画像３Ｄ上に配された、例えば２つの楽曲表示子ＳＩの位置が近ければ、これら２つの楽曲表示子ＳＩに対応する２つの楽曲の印象が似ていることを表し、一方で、２つの楽曲表示子ＳＩの位置が遠ければ、これら２つの楽曲表示子ＳＩに対応する２つの楽曲の印象が似ていないことを表す。
【００２８】
また、この三次元画像３Ｄでは、Ｘ軸が楽曲の印象を表す３種類の項目のうち速さに対応し、Ｙ軸が当該３種類の項目のうち音色に対応し、Ｚ軸が３種類の項目のうち年代に対応しているため、楽曲表示子ＳＩの位置となる三次元空間座標のＸ値が小さいほど遅い感じの強い楽曲を示すと共に、当該Ｘ値が大きいほど速い感じの強い楽曲を示し、またＹ値が小さいほどアナログ的な感じの強い楽曲を示すと共に、当該Ｙ値が大きいほどデジタル的な感じの強い楽曲を示し、Ｚ値が小さいほど古い感じの強い楽曲を示すと共に、当該Ｚ値が大きいほど新しい感じの強い楽曲を示すようになされている。
【００２９】
このような三次元画像３Ｄを表す三次元画像データを生成した後、ＣＰＵ１１は、この三次元画像データを用いて、楽曲選択画面データを生成し、図６に示すように、この楽曲選択画面データに基づく楽曲選択画面４０を表示コントローラ１９を介してディスプレイ２２に表示する。
【００３０】
この楽曲選択画面４０は、楽曲選択領域４１と操作領域４２とでなり、楽曲選択領域４１には三次元画像データに基づく三次元画像３Ｄが表示されると共に、この三次元画像３Ｄの座標軸を示す軸画像ＡＸが表示され、さらにこの軸画像ＡＸのＸ軸先端近傍には、速い感じの強い印象を表す文字「ｆａｓｔ」が表示され、Ｙ軸先端近傍にはデジタル的な感じの強い印象を表す文字「ｅｌｅｃ」が表示され、Ｚ軸先端近傍には新しい感じの強い印象を表す文字「ｎｅｗｌｙ」が表示される。ちなみに、実際上、ＣＰＵ１１は、三次元画像３Ｄ及び軸画像ＡＸを、例えば、初期表示状態として、Ｚ軸方向の所定の位置（以下、これを初期位置とも呼ぶ）を視点としてＸＹ平面上に投影した二次元画像（この場合、ＸＹ平面画像となる）に変換したうえで、楽曲選択領域４１に表示するようになされている。
【００３１】
例えば、図６に示す楽曲選択領域４１は、三次元画像３Ｄ及び軸画像ＡＸを、横軸をＸ軸、縦軸をＹ軸とするＸＹ平面画像に変換して表示した例であり、楽曲表示子ＳＩの表示位置が楽曲選択領域４１の右側によるほど（Ｘ値が大きいほど）、楽曲表示子ＳＩに対応付けられた楽曲が速い感じの強い印象の楽曲であることを表し、楽曲選択領域４１の上側によるほど（Ｙ値が大きいほど）、楽曲表示子ＳＩに対応付けられた楽曲がデジタル的な感じの強い印象の楽曲であることを表している。
【００３２】
また、この楽曲選択領域４１には、三次元画像３Ｄに重ねるようにして、楽曲表示子ＳＩを選択するための矢印カーソルＣｕも表示される。ここで、この楽曲選択領域４１では、操作キー１５の操作により矢印カーソルＣｕを自由に移動させることができ、この矢印カーソルＣｕの矢印の先端を楽曲表示子ＳＩに重ねることで楽曲表示子ＳＩを指示することができ、さらに重ねた状態で操作キー１５を押下することで楽曲表示子ＳＩを選択できるようになっている。
【００３３】
つまり、この楽曲選択領域４１では、表示された軸画像ＡＸが示す座標軸の向きによって、表示された三次元画像３Ｄがどの位置の視点から見たものであるのかを視覚的に示し、またこの軸画像ＡＸの各軸近傍に表示される文字によって、三次元画像３Ｄ上に配された、楽曲表示子ＳＩのそれぞれが、どのような印象の楽曲に対応付けられたものであるのかを視覚的に示すようになされ、結果として、ユーザが所望の印象の楽曲を容易に選択できるようになされている。
【００３４】
一方、操作領域４２には、選択された楽曲表示子ＳＩに対応付けられている楽曲の再生操作を行うための再生開始ボタン４３、曲戻しボタン４４及び曲送りボタン４５と、楽曲の音量を調節するためのスライドバー４６と、楽曲関連情報などに基づき、再生中の楽曲の曲名、アーティスト名、収録アルバム名及びパスなどの情報（以下、これを再生楽曲情報とも呼ぶ）を表示する再生楽曲情報表示部４７と、カーソルＣｕで指示された楽曲表示子ＳＩに対応する楽曲の曲名、アーティスト名、収録アルバム名及びパスなどの情報（以下、これを指示楽曲情報とも呼ぶ）を表示する指示楽曲情報表示部４８と、楽曲を検索するときの検索条件を入力するための検索条件入力部４９と、例えば複数の楽曲表示子ＳＩが選択された場合に、これらをアーティスト名で分類するためのアーティスト分類ボタン５０（詳しくは後述する）と、これらを収録アルバム名で分類するためのアルバム分類ボタン５１（詳しくは後述する）とが設けられている。
【００３５】
このような楽曲選択画面４０をディスプレイ２２に表示した後、ＣＰＵ１１は、ユーザにより操作キー１５を介して、矢印カーソルＣｕの移動命令が入力されると、これに応じて楽曲選択領域４１内で矢印カーソルＣｕを移動させる。このときＣＰＵ１１は、移動中の矢印カーソルＣｕの矢印の先端が三次元画像３D上の楽曲表示子ＳＩに重なると、矢印カーソルＣｕの矢印の先端が重なっている楽曲表示子ＳＩを指示している状態となり、図７に示すように、この指示している楽曲表示子ＳＩを例えば２倍に拡大して表示色を例えば黒から白に変えて表示すると共に、この楽曲表示子ＳＩに対応する指示楽曲情報を指示楽曲情報表示部４８に表示するようになされている。またＣＰＵ１１は、この指示している楽曲表示子ＳＩから矢印カーソルＣｕの矢印の先端が離れると、再びこの楽曲表示子ＳＩを元の大きさ及び表示色に戻して表示する。
【００３６】
さらにＣＰＵ１１は、楽曲表示子ＳＩを指示している状態（すなわち楽曲表示子ＳＩを拡大して表示色を変えている状態）で操作キー１５が押下されると、この楽曲表示子ＳＩを選択した状態となる。この場合、ＣＰＵ１１は、この選択した楽曲表示子ＳＩから矢印カーソルＣｕの矢印の先端が離れても、楽曲表示子ＳＩの大きさ及び表示色を元に戻さない。またＣＰＵ１１は、この選択した楽曲表示子ＳＩに矢印カーソルＣｕの矢印の先端が重ねられて再度操作キー１５が押下されると、この楽曲表示子ＳＩの選択を解除するようにもなされている。
【００３７】
さらにＣＰＵ１１は、楽曲表示子ＳＩを選択した状態で、操作キー１５を介して再生開始ボタン４３が押下されると、これに応じて、選択した楽曲表示子ＳＩに対応する再生楽曲情報を再生楽曲情報表示部４７に表示すると共に、この選択した楽曲表示子ＳＩに対応付けられた楽曲データをハードディスクドライブ１２から読み出して再生するようになされている。
【００３８】
さらにＣＰＵ１１は、ユーザにより操作キー１５を介して、楽曲選択領域４１に表示している三次元画像３Ｄを回転させる（すなわち視点を移動させる）命令が入力されると、これに応じて、三次元画像３Ｄ及び軸画像ＡＸに対する視点を初期位置から移動させ、図８に示すように、三次元画像３Ｄ及び軸画像ＡＸを、この移動後の視点から見た二次元画像に変換したうえで、楽曲選択領域４１に表示する。このようにしてＣＰＵ１１は、楽曲選択領域４１に表示する三次元画像３Ｄを、任意の位置の視点から見た二次元画像に変換してユーザに視認させることができるようにもなされている。
【００３９】
またＣＰＵ１１は、三次元画像３Ｄに対する視点を移動した後でも、ユーザにより操作キー１５を介して、例えばカーソルＣｕを軸画像ＡＸに重ねて選択する操作が行われると、これに応じて、三次元画像３Ｄ及び軸画像ＡＸを図５に示した初期表示状態に戻すようにもなされている。
【００４０】
さらにＣＰＵ１１は、ユーザにより操作キー１５を介して三次元画像３Ｄを拡大表示する命令が入力されると、これに応じて、例えば矢印カーソルＣｕの先端が重なっている位置を中心として所定の倍率で拡大処理を施すことにより、楽曲選択領域４１に三次元画像３Ｄを拡大表示するようになされ、さらに三次元画像３Ｄを縮小表示する命令が入力されると、これに応じて、例えば矢印カーソルＣｕの先端が重なっている位置を中心として所定の倍率で縮小処理を施すことにより、楽曲選択領域４１に三次元画像３Ｄを縮小表示するようにもなされている。
【００４１】
このようにして、この楽曲選択画面４０では、三次元画像３Ｄ上の印象に応じた位置に配置された楽曲表示子ＳＩのなかから、任意に楽曲表示子ＳＩを選択して、この選択した楽曲表示子ＳＩに対応付けられている楽曲データを再生することができるようになっている。つまり、記録再生装置１０は、この楽曲選択画面４０上で、ユーザに好みの印象の楽曲を選択させて再生することができるようになっている。
【００４２】
（１−３）リスト画像表示機能
ここで、このような楽曲選択画面４０の楽曲選択領域４１に表示される三次元画像３Ｄ上で、複数の楽曲表示子ＳＩが選択された場合に、これら選択された複数の楽曲表示子ＳＩのそれぞれに対応付けられている複数の楽曲データの再生順序を示す画像（以下、これをリスト画像とも呼ぶ）を表示するリスト画像表示機能について、以下に説明する。ちなみに、ここでは説明の簡略化のため、楽曲選択領域４１に表示されている三次元画像３Ｄ及び軸画像ＡＸが、図５に示した初期表示状態（すなわち初期位置の視点から見たＸＹ平面画像に変換された状態）であるとする。つまり、この場合、楽曲表示子ＳＩの表示位置が楽曲選択領域４１の右側によるほど（Ｘ値が大きいほど）、対応付けられた楽曲が速い感じの強い印象の楽曲であることを表し、楽曲選択領域４１の上側によるほど（Ｙ値が大きいほど）、対応付けられた楽曲がデジタル的な感じの強い印象の楽曲であることを表している。
【００４３】
ＣＰＵ１１は、ユーザにより操作キー１５を介して、例えば、検索条件入力部４９にアーティスト名を示す文字「中嶋ミナ」が入力されて検索命令が入力されると、これに応じて、ハードディスクドライブ１２に記録されている楽曲データのうち、楽曲関連情報のアーティスト名に「中嶋ミナ」が含まれる楽曲データを検索する。この検索の結果、例えば、８個の楽曲データが見つかったとすると、ＣＰＵ１１は、検索された８個の楽曲データのそれぞれに対応する楽曲分析情報３０に含まれる第１乃至第３の印象値（すなわち三次元空間座標）に基づき、現在、楽曲選択領域４１に表示している初期表示状態の三次元画像３Ｄ上に配された複数の楽曲表示子ＳＩのうち、これら８個の楽曲データのそれぞれに対応する８個の楽曲表示子ＳＩ１〜ＳＩ８を選択する。
【００４４】
そしてＣＰＵ１１は、選択した８個の楽曲表示子ＳＩ１〜ＳＩ８に対応する８個の楽曲データを、例えば、図９に示すように、楽曲分析情報３０に含まれる第１の印象項目値ＳＰの小さい順に並べたプレイリストＰＬを生成する。ここで、実際上、このプレイリストＰＬには、楽曲データを示す楽曲識別情報ＳＳが第１の印象項目値ＳＰの小さい順に記される。つまり、この場合のプレイリストＰＬには、第１の印象項目値ＳＰの最も小さい楽曲データを示す楽曲識別情報ＳＳ１から順に、楽曲識別情報ＳＳ２、ＳＳ３、ＳＳ４、ＳＳ５、ＳＳ６、ＳＳ７、ＳＳ８と記され、具体的に言えば、アーティスト名が「中嶋ミナ」である８個の楽曲データを、テンポが遅い順に再生する旨が記される。
【００４５】
またこのときＣＰＵ１１は、図１０に示すように、選択した８個の楽曲表示子ＳＩ１〜ＳＩ８を、第１の印象項目値ＳＰであるＸ値が小さい順（すなわちプレイリストＰＬの順）に結ぶ白の直線Ｌを表示する。つまりこの場合、楽曲選択領域４１上には、楽曲表示子ＳＩ１とＳＩ２とを結ぶ直線Ｌ１、楽曲表示子ＳＩ２とＳＩ３とを結ぶ直線Ｌ２、楽曲表示子ＳＩ３とＳＩ４とを結ぶ直線Ｌ３、楽曲表示子ＳＩ４とＳＩ５とを結ぶ直線Ｌ４、楽曲表示子ＳＩ５とＳＩ６とを結ぶ直線Ｌ５、楽曲表示子ＳＩ６とＳＩ７とを結ぶ直線Ｌ６、楽曲表示子ＳＩ７とＳＩ８とを結ぶ直線Ｌ７が表示される。ちなみに、選択した複数の楽曲表示子ＳＩとこれらを結んだ直線Ｌとが、リスト画像ＬＩとなる。
【００４６】
このようにＣＰＵ１１は、楽曲データの再生順を、文字情報として別途表示するのではなく、三次元画像３Ｄ上に、リスト画像ＬＩとして表示するようにしたことにより、選択した楽曲がどのような印象の楽曲であって、且つどのような順で再生するのかを、三次元画像３Ｄ上で、ユーザに対して容易に視認させることができるようになされている。
【００４７】
さらにＣＰＵ１１は、このように、リスト画像ＬＩを表示している状態で、再生開始ボタン４３が押下されると、これに応じて、第１の印象項目値ＳＰであるＸ値が最も小さい楽曲表示子ＳＩ１に対応する楽曲データ（すなわちプレイリストＰＬの１番目に記された楽曲データ）を読み出して、この楽曲データの再生を開始する。そしてＣＰＵ１１は、この楽曲データの再生が終了すると、つづけて、選択した楽曲表示子ＳＩ１〜ＳＩ８のうちの、２番目にＸ値が小さい楽曲表示子ＳＩ２に対応する楽曲データの再生を開始する。そして同様にＣＰＵ１１は、Ｘ値の小さい順（すなわちプレイリストの順であり、直線Ｌに沿った順）に、楽曲表示子ＳＩ３、ＳＩ４、ＳＩ５、ＳＩ６、ＳＩ７、ＳＩ８の楽曲データを再生するようになされている。
【００４８】
またこのような楽曲データの再生時、ＣＰＵ１１は、図１１に示すように、リスト画像ＬＩ上の、再生が終了した楽曲データに対応する楽曲表示子ＳＩの色を変更（例えば白から赤に変更）すると共に、再生中の楽曲データに対応する楽曲表示子ＳＩの形を変更（例えば円形から星型に変更）する。実際上、図１１に示した表示例では、楽曲表示子ＳＩ２に対応付けられた楽曲データが再生中であり、このため再生中の楽曲データに対応するこの楽曲表示子ＳＩ２の形が円形から星型に変更された状態であり、また再生が終了した楽曲データに対応する楽曲表示子ＳＩ１の色が白から赤に変更された状態である。これにより、ＣＰＵ１１は、リスト画像ＬＩ上で、どの楽曲表示子ＳＩの楽曲データが、再生中であるのか、再生を終了しているのか、まだ再生されていないのかを、ユーザに対して容易に認識させることができるようになされている。
【００４９】
さらにＣＰＵ１１は、楽曲表示子ＳＩ間を結ぶ直線Ｌの色を、該当する楽曲データの再生位置に応じて、直線Ｌの始点から終点に向けて連続的に変更（例えば白から赤に変更）するようになされている。実際上、図１１に示した表示例では、楽曲表示子ＳＩ２に対応する楽曲データが再生時間のうちの約１／３まで再生されたときであり、このため再生中の楽曲データに対応するこの楽曲表示子ＳＩ２と、次に再生予定の楽曲データに対応する楽曲表示子ＳＩ３とを結ぶ直線Ｌ２が、その始点（つまり楽曲表示子ＳＩ２側）から全体の約１／３の部分までを白から赤に変更された状態であり、また再生が終了している楽曲データに対応する楽曲表示子ＳＩ１と、再生中の楽曲データに対応する楽曲表示子ＳＩ２とを結ぶ直線Ｌ１が、その始点から終点まで（つまり全部）を白から赤に変更された状態である。これにより、ＣＰＵ１１は、リスト画像ＬＩ上で、再生中の楽曲データの再生位置を、ユーザに対して容易に認識させることができるようになされている。
【００５０】
くわえてＣＰＵ１１は、リスト画像ＬＩを表示している状態（図１０または図１１の状態）で、アルバム分類ボタン５１が押下されると、これに応じて、リスト画像ＬＩ上の複数の楽曲表示子ＳＩに対応する複数の楽曲データを収録アルバム毎に分類して、収録アルバム毎のプレイリストＰＬを生成すると共に、収録アルバム毎のリスト画像ＬＩを表示する。
【００５１】
すなわち、ＣＰＵ１１は、楽曲関連情報に基づき、まずリスト画像ＬＩ上の８個の楽曲表示子ＳＩに対応する８個の楽曲データ（この場合、アーティスト名が「中嶋ミナ」である８個の楽曲データ）を、収録アルバム名毎に分類する。この結果、ＣＰＵ１１は、例えば、８個の楽曲データを、収録アルバム名が「MIDDLE ISLAND」である４個の楽曲データと、収録アルバム名が「HALLO」である４個の楽曲データとに分類できたとすると、収録アルバム名が「MIDDLE ISLAND」である４個の楽曲データを、楽曲分析情報３０に含まれる第１の印象項目値ＳＰの小さい順に並べたプレイリストＰＬ１（図１２（Ａ）に示す）を生成すると共に、収録アルバム名が「HALLO」である４個の楽曲データを、第１の印象項目値ＳＰの小さい順に並べたプレイリストＰＬ２（図１２（Ｂ）に示す）を生成する。
【００５２】
つまり、この場合のプレイリストＰＬ１には、収録アルバム名が「MIDDLE ISLAND」である４個の楽曲データのうち、第１の印象項目値ＳＰの最も小さい楽曲データを示す楽曲識別情報ＳＳ１から順に、楽曲識別子ＳＳ２、ＳＳ３、ＳＳ８と記され、具体的に言えば、アーティスト名が「中嶋ミナ」であり、収録アルバム名が「MIDDLE ISLAND」である４個の楽曲データを、テンポが遅い順に再生する旨が記される。またこの場合のプレイリストＰＬ２には、収録アルバム名が「HALLO」である４個の楽曲データのうち、第１の印象項目値ＳＰの最も小さい楽曲データを示す楽曲識別情報ＳＳ４から順に、楽曲識別情報ＳＳ５、ＳＳ６、ＳＳ７と記され、具体的に言えば、アーティスト名が「中嶋ミナ」であり、収録アルバム名が「HALLO」である４個の楽曲データを、テンポが遅い順に再生する旨が記される。
【００５３】
またこのときＣＰＵ１１は、図１３に示すように、リスト画像ＬＩに変えて、収録アルバム名が「MIDDLE ISLAND」である４個の楽曲データに対応する楽曲表示子ＳＩ１、ＳＩ２、ＳＩ３、ＳＩ８を、第１の印象項目値ＳＰであるＸ値が小さい順（すなわちプレイリストＰＬ１の順）に直線Ｌａで結んだリスト画像ＬＩ１を表示すると共に、収録アルバム名が「HALLO」である４個の楽曲データに対応する楽曲表示子ＳＩ４、ＳＩ５、ＳＩ６、ＳＩ７を、第１の印象項目値ＳＰであるＸ値が小さい順（すなわちプレイリストＰＬ２の順）に直線Ｌｂで結んだリスト画像ＬＩ２を表示する。つまり、この場合、リスト画像ＬＩ１は、楽曲表示子ＳＩ１とＳＩ２とを結んだ直線Ｌａ１、楽曲表示子ＳＩ２とＳＩ３とを結んだ直線Ｌａ２、及び楽曲表示子ＳＩ３とＳＩ８とを結んだ直線Ｌａ３でなり、リスト画像ＬＩ２は、楽曲表示子ＳＩ４とＳＩ５とを結んだ直線Ｌｂ１、楽曲表示子ＳＩ５とＳＩ６とを結んだ直線Ｌｂ２、及び楽曲表示子ＳＩ６とＳＩ７とを結んだ直線Ｌｂ３でなる。
【００５４】
また、ＣＰＵ１１は、例えば、矢印カーソルＣｕにより選択されたリスト画像ＬＩ１と、選択されていない例えばリスト画像ＬＩ２との表示倍率を変えることで、複数のリスト画像ＬＩが表示されている場合に、どのリスト画像ＬＩを選択しているのかを、ユーザに容易に視認させることができるようになされている。ちなみに、図１３に示す表示例では、選択されていないリスト画像ＬＩ２の表示倍率を、選択されているリスト画像ＬＩ１の１／２にした表示例である。
【００５５】
さらに、ＣＰＵ１１は、このようにしてリスト画像ＬＩ上の複数の楽曲表示子ＳＩに対応する複数の楽曲データを収録アルバム毎に分類し、リスト画像ＬＩに変えて、収録アルバム毎のリスト画像ＬＩ１及びリスト画像ＬＩ２を表示した後、アーティスト分類ボタン５０が押下されると、リスト画像ＬＩ１及びリスト画像ＬＩ２上の８個の楽曲表示子ＳＩに対応する８個の楽曲データの全てのアーティスト名が同じ「中嶋ミナ」であるため、再び図９に示したように、アーティスト名が「中嶋ミナ」である８個の楽曲データを、テンポが遅い順に再生する旨を記したプレイリストＰＬを生成すると共に、図１０に示したように、リスト画像ＬＩ１及びリスト画像ＬＩ２に変えて、リスト画像ＬＩを表示するようになされている。
【００５６】
このようにＣＰＵ１１は、ユーザ操作に応じて選択した複数の楽曲表示子ＳＩに対応する複数の楽曲データの全てを１つのプレイリストＰＬにして１つのリスト画像ＬＩを表示するばかりでなく、これら複数の楽曲データを、収録アルバム名などの楽曲関連情報をもとに分類し、分類毎に楽曲データのプレイリストＰＬを生成すると共に分類毎にリスト画像ＬＩを表示するようにしてもよい。
【００５７】
（１−４）リスト画像表示処理手順
次に、上述したリスト画像を表示する処理手順について、図１４のフローチャートを用いて説明する。ちなみに、このリスト画像表示処理手順は、記録再生装置１０のＣＰＵ１１がハードディスクドライブ１２またはＲＯＭ１３から読み出したプログラムに従って実行する処理手順である。
【００５８】
すなわち、記録再生装置１０のＣＰＵ１１は、ユーザにより操作キー１５を介して、楽曲選択画面４０を表示する命令が入力されると、このリスト画像表示処理手順ＲＴ１を開始ステップＳＰ１から開始して、次のステップＳＰ２に移る。ステップＳＰ２においてＣＰＵ１１は、図６に示したような楽曲選択画面４０を、ディスプレイ２２に表示して、次のステップＳＰ３に移る。ここで、この楽曲選択画面４０の楽曲選択領域４１には、上述したように、複数の楽曲表示子ＳＩを対応する楽曲の印象に応じた位置に配置してなる三次元画像３Ｄが表示される。
【００５９】
ステップＳＰ３においてＣＰＵ１１は、三次元画像３Ｄ上に配された複数の楽曲表示しＳＩのなかから少なくとも２以上の楽曲表示子ＳＩを、ユーザ操作に応じて選択するまで待ち受け、少なくとも２以上の楽曲表示子ＳＩを選択すると、次のステップＳＰ４に移る。ここで、少なくとも２以上の楽曲表示子ＳＩをユーザ操作に応じて選択する方法としては、上述したように、検索の結果得られた複数の楽曲データに対応する楽曲表示子ＳＩを選択する方法、矢印カーソルＣｕを楽曲表示子ＳＩに重ねて直接選択する方法などがある。
【００６０】
ステップＳＰ４においてＣＰＵ１１は、選択した複数の楽曲表示子ＳＩに対応する複数の楽曲データを、楽曲分析情報３０の第１の印象項目値ＳＰの小さい順に並べたプレイリストＰＬを生成すると共に、選択した複数の楽曲表示子ＳＩを第１の印象項目値ＳＰであるＸ値の小さい順（つまりプレイリストＰＬの順）に直線Ｌで結んだリスト画像ＬＩを、三次元画像３Ｄ上に表示して、終了ステップＳＰ５に移り、このリスト画像表示処理手順ＲＴ１を終了する。
【００６１】
このような処理手順で、記録再生装置１０のＣＰＵ１１は、リスト画像ＬＩを表示するようになされている。
【００６２】
（１−５）第１の実施の形態による動作及び効果
以上の構成において記録再生装置１０は、ハードディスクドライブ１２に記録している複数の楽曲データと、これら複数の楽曲データのそれぞれに対応付けられた、楽曲データに基づく楽曲の印象を示す楽曲分析情報３０とをもとに、これら複数の楽曲データのそれぞれに対応する複数の楽曲表示子ＳＩを、楽曲の印象に応じた位置に配置してなる三次元画像３Ｄをディスプレイ２２に表示する。
【００６３】
そして記録再生装置１０は、この三次元画像３Ｄ上に配置された複数の楽曲表示子ＳＩのなかから、ユーザ操作などに応じて、少なくとも２個以上の楽曲表示子ＳＩを選択すると、選択した複数の楽曲表示子ＳＩに対応する複数の楽曲データを所定の条件に基づく順に並べたプレイリストＰＬを生成すると共に、選択した複数の楽曲表示子ＳＩを、生成するプレイリストＰＬと同じ順に直線Ｌで結んだリスト画像ＬＩを三次元画像３Ｄ上に表示する。
【００６４】
つまり、記録再生装置１０は、三次元画像３Ｄ上に表示したリスト画像ＬＩに含まれる複数の楽曲表示子ＳＩのそれぞれの位置によって、選択した複数の楽曲表示子ＳＩに対応する複数の楽曲の印象をユーザに視認させることができ、さらにこのリスト画像ＬＩに含まれる直線Ｌによって、選択した複数の楽曲表示子ＳＩに対応する楽曲をどのような順で再生するのか、すなわちどのようにリスト化したのかをユーザに対して視認させることができる。
【００６５】
以上の構成によれば、複数の楽曲データに対応付けた複数の楽曲表示子ＳＩのそれぞれを、対応付けられた楽曲データに基づく楽曲の印象に応じた位置に配置してなる三次元画像３Ｄを表示した後、この三次元画像３Ｄ上に配置された複数の楽曲表示子ＳＩから２以上の楽曲表示子ＳＩを選択すると、選択した２以上の楽曲表示子ＳＩのそれぞれに対応する楽曲データの並び順を示すように、選択した２以上の楽曲表示子ＳＩの間を結ぶ直線Ｌを、三次元画像３Ｄ上に表示するようにしたことにより、三次元画像３Ｄ上に配置された楽曲表示子ＳＩの位置によって、楽曲の印象をユーザに視認させることができると共に、選択した楽曲表示子ＳＩを結ぶ直線Ｌによって、選択した楽曲表示子ＳＩに対応する楽曲データの並び順をユーザに視認させることができるので、選択した楽曲データがどのような印象の楽曲であって、且つどのようにリスト化されたのかを、三次元画像３Ｄ上でユーザに認識させることができ、かくして、選択したコンテンツがどのような印象のコンテンツであって、且つどのようにリスト化されたのかをユーザに対して容易に認識させ得る表示装置、表示方法及び表示プログラムを実現できる。
【００６６】
（２）第２の実施の形態
次に第２の実施の形態について説明する。この第２の実施の形態では、記録再生装置１０が、上述の第１の実施の形態で説明した機能にくわえて、プレイリストＰＬを、外部機器インタフェース２０に接続された外部機器に転送するリスト転送機能を有している。
【００６７】
（２−１）リスト転送機能
実際上、記録再生装置１０のＣＰＵ１１は、外部機器インタフェース２０にプレイリストＰＬの転送先となる外部機器が接続されると、図１５に示す楽曲選択画面４０のように、三次元画像３Ｄ及び軸画像ＡＸを表示している楽曲選択領域４１内に、転送先の外部機器を示す転送先アイコン６０を表示する。
【００６８】
これによりＣＰＵ１１は、プレイリストＰＬの転送先となる外部機器が、記録再生装置１０に接続されていることを、楽曲選択画面４０上で、ユーザに視認させることができる。
【００６９】
そしてＣＰＵ１１は、上述の第１の実施の形態と同様にして、三次元画像３Ｄ上に配置された複数の楽曲表示子ＳＩのなかから、ユーザ操作などに応じて、少なくとも２個以上の楽曲表示子ＳＩを選択すると、選択した複数の楽曲表示子ＳＩに対応する複数の楽曲データを第１の印象項目値ＳＰの小さい順に並べたプレイリストＰＬ（図９）を生成すると共に、図１６に示す楽曲選択画面４０のように、選択した複数の楽曲表示子ＳＩの間を、生成するプレイリストＰＬと同じ順に直線Ｌで結んだリスト画像ＬＩを楽曲選択領域４１内の三次元画像３Ｄ上に表示する。
【００７０】
さらにＣＰＵ１１は、このようにリスト画像ＬＩを表示した後、ユーザ操作により、このリスト画像ＬＩに矢印カーソルＣｕが重ねられて操作キー１５が押下された状態のまま、矢印カーソルＣｕが移動させられると（いわゆるドラッグ操作）、このリスト画像ＬＩを矢印カーソルＣｕの移動に合わせて移動させる。そしてＣＰＵ１１は、図１７に示すように、このリスト画像ＬＩが、ドラッグ操作により、転送先アイコン６０上に移動させられて、操作キー１５の押下が解除されると（いわゆるドロップ操作）、このリスト画像ＬＩに対応するプレイリストＰＬを、転送先アイコン６０により示される外部機器に転送するよう命令されたと認識して、プレイリストＰＬの外部機器への転送を開始する。
【００７１】
ここで、実際上、ＣＰＵ１１は、プレイリストＰＬを転送する際、まずプレイリストＰＬに記された複数の楽曲データが、外部機器に記録されているか否かを確認する。ここで、例えば、図９に示したように、プレイリストＰＬに、８個の楽曲データを示す８個の楽曲識別子ＳＳ１〜ＳＳ８が記されていて、ＣＰＵ１１が、これらのうち、楽曲識別子ＳＳ１、ＳＳ３により識別される２個の楽曲データが外部機器に記録されていて、これら以外の楽曲識別子ＳＳ２、ＳＳ４、ＳＳ５、ＳＳ６、ＳＳ７、ＳＳ８により識別される６個の楽曲データが、外部機器に記録されていないと確認したとする。
【００７２】
するとＣＰＵ１１は、楽曲識別子ＳＳ２、ＳＳ４、ＳＳ５、ＳＳ６、ＳＳ７、ＳＳ８により識別される６個の楽曲データを、プレイリストＰＬと共に、外部機器に転送する楽曲データとして認識すると共に、プレイリストＰＬの楽曲識別子ＳＳ１、ＳＳ３を、対応する楽曲データの外部機器での記録場所を示すパスに書き換え、さらにこれら以外の楽曲識別子ＳＳ２、ＳＳ４、ＳＳ５、ＳＳ６、ＳＳ７、ＳＳ８を、転送する楽曲データの外部機器での記録場所を示すパスに書き換える。つまりＣＰＵ１１は、プレイリストＰＬが、転送先の外部機器でそのまま利用できるようにする。
【００７３】
そしてＣＰＵ１１は、この書き換えたプレイリストＰＬと、このプレイリストＰＬに記され外部機器に記録されていない楽曲データとを外部機器に転送する。
【００７４】
またＣＰＵ１１は、図１８に示すように、ドロップ操作によりプレイリストＰＬと楽曲データの転送を開始した後、リスト画像ＬＩを元の表示位置に戻すと共に、転送先アイコン６０上に、プレイリストＰＬと楽曲データとを転送中である旨を示す文字「転送中」を表示する。
【００７５】
またこのようなプレイリストＰＬと楽曲データの転送時、ＣＰＵ１１は、リスト画像ＬＩ上の、転送が終了した楽曲データに対応する楽曲表示子ＳＩの色を変更（例えば白から青に変更）すると共に、転送中の楽曲データに対応する楽曲表示子ＳＩの形を変更（例えば円形から星型に変更）する。さらにＣＰＵ１１は、楽曲表示子ＳＩ間を結ぶ直線Ｌの色を、該当する楽曲データの転送された部分を示すように、直線Ｌの始点から終点に向けて連続的に変更（例えば白から青に変更）するようになされている。これにより、ＣＰＵ１１は、リスト画像ＬＩ上で、楽曲データの転送状況を、ユーザに対して容易に認識させることができる。
【００７６】
かくして、この第２の実施の形態による記録再生装置１０によれば、リスト画像ＬＩを転送先アイコン６０にドラッグアンドドロップする操作によって、リスト画像ＬＩに対応するプレイリストＰＬ及び楽曲データを外部機器に転送するようにしたことにより、容易且つ直感的な操作で、プレイリストＰＬ及び楽曲データを外部機器に転送することができる。
【００７７】
（３）第３の実施の形態
次に第３の実施の形態について説明する。この第３の実施の形態では、記録再生装置１０が、上述の第１の実施の形態で説明した機能にくわえて、プレイリストＰＬを、ネットワークインタフェース１６を介して、ネットワーク上のサーバ（例えば上述した楽曲配信サーバ）から取得するリスト取得機能を有している。
【００７８】
（３−１）リスト取得機能
実際上、記録再生装置１０のＣＰＵ１１は、図１９に示す楽曲選択画面４０のように、三次元画像３Ｄ及び軸画像ＡＸを表示している楽曲選択領域４１内に、記録再生装置１０自身を示す自端末アイコン７０を表示すると共に、ネットワークインタフェース１６を介してプレイリストＰＬの取得先となるサーバと接続されると、楽曲選択領域４１内に、この取得先のサーバを示す取得先アイコン７１を表示する。
【００７９】
そしてＣＰＵ１１は、例えば、ユーザ操作により、矢印カーソルＣｕが、取得先アイコン７１上に移動させられて操作キー１５が押下されると、取得先アイコン７１により示されるサーバからプレイリストＰＬを取得するよう命令されたと認識して、サーバに対しプレイリストＰＬの取得を要求する要求信号を送る。
【００８０】
サーバは、記録再生装置１０からの要求信号に応じて、例えば、人気の楽曲を示したプレイリストＰＬｘと、アーティストが薦める楽曲を示したプレイリストＰＬｙとを記録再生装置１０に送信する。ここで、このサーバから送信されるプレイリストＰＬｘ及びＰＬｙのそれぞれには、図２０（Ａ）及び（Ｂ）に示すように、タイトルが付加されていると共に、楽曲毎に、楽曲固有のＩＤ番号でなる楽曲識別子ＳＳと、この楽曲識別子ＳＳにより識別される楽曲の第１、第２及び第３の印象項目値ＳＰ、ＥＬ及びＮＥの３値（つまり三次元空間座標）とが記されている。また、アーティストが薦める楽曲を示したプレイリストＰＬｙには、別途、アーティストの顔画像の記録場所（ダウンロード先）も記されている。
【００８１】
そしてＣＰＵ１１は、サーバから送信されてくるプレイリストＰＬｘ及びＰＬｙを受信すると、図２１に示すように、プレイリストＰＬｘに記された楽曲毎の第１、第２及び第３の印象項目値ＳＰ、ＥＬ及びＮＥの３値を三次元空間座標として、三次元画像３Ｄ上の該当する楽曲表示子ＳＩを選択すると共に、プレイリストＰＬｘの順に、選択した楽曲表示子ＳＩを線分で結ぶことにより、リンク画像ＬＩｘを表示する。またこのリンク画像ＬＩｘを指し示すと共にプレイリストＰＬｘのタイトル「人気ベスト５」が描かれた吹き出し画像ＢＩｘを表示する。
【００８２】
また同様に、ＣＰＵ１１は、プレイリストＰＬｙに記された楽曲毎の第１、第２及び第３の印象項目値ＳＰ、ＥＬ及びＮＥの３値を三次元空間座標として、三次元画像３Ｄ上の該当する楽曲表示子ＳＩを選択すると共に、プレイリストＰＬｙの順に、選択した楽曲表示子ＳＩを線分で結ぶことにより、リンク画像ＬＩｙを表示する。またこのリンク画像ＬＩｙを指し示すと共に、プレイリストＰＬｙのタイトル「中嶋ミナのお薦め」と、プレイリストＰＬｙに記録場所が示されたアーティストの顔画像とが描かれた吹き出し画像ＢＩｙを表示する。
【００８３】
ちなみに、プレイリストＰＬｘ及びＰＬｙに記された第１、第２及び第３の印象項目値ＳＰ、ＥＬ及びＮＥの３値を三次元空間座標とする楽曲表示子ＳＩが三次元画像３Ｄ上に存在しない場合、つまりプレイリストＰＬｘ及びＰＬｙに記された楽曲データが記録再生装置１０に記録されていない場合、ＣＰＵ１１は、プレイリストＰＬｘ及びＰＬｙに記された第１、第２及び第３の印象項目値ＳＰ、ＥＬ及びＮＥの３値を三次元空間座標とする楽曲表示子ＳＩを三次元画像３Ｄ上に追加表示したうえで選択するようになされている。
【００８４】
かくして、この第３の実施の形態による記録再生装置１０によれば、サーバから取得したプレイリストＰＬｘ及びＰＬｙを、文字情報としてではなく、三次元画像３Ｄ上に、リスト画像ＬＩｘ及びリスト画像ＬＩｙとして表示するようにしたことにより、サーバから取得したプレイリストＰＬｘ及びＰＬｙが、どのような印象の楽曲を、どのような順で再生する旨を示しているのかを、三次元画像３Ｄ上で、ユーザに対して容易に視認させることができる
【００８５】
くわえて、記録再生装置１０のＣＰＵ１１は、このようにリスト画像ＬＩｘ及びＬＩｙを表示した後、図２２に示すように、例えばリスト画像ＬＩｘが、ドラッグ操作により、自端末アイコン７０上に移動させられて、ドロップ操作されると、このリスト画像ＬＩｘに含まれる楽曲表示子ＳＩに対応する楽曲データ（すなわちプレイリストＰＬｘに示された楽曲データ）をサーバから取得するよう命令されたと認識して、サーバに対しプレイリストＰＬｘに示された楽曲データの取得を要求する要求信号を送ることで、プレイリストＰＬｘに示された楽曲データの取得を開始する。ちなみに、この場合、ＣＰＵ１１は、プレイリストＰＬｘに示された楽曲データのうち、記録再生装置１０に記録されていない楽曲データのみをサーバから取得するようになされている。
【００８６】
またＣＰＵ１１は、このようにしてリスト画像ＬＩｘに対するドラッグアンドドロップ操作によりプレイリストＰＬｘに示された楽曲データの取得を開始した後、図２３に示すように、リスト画像ＬＩｘを元の表示位置に戻すと共に、自端末アイコン７０上に、楽曲データを取得中である旨を示す文字「ダウンロード中」を表示する。
【００８７】
またこのような楽曲データの取得時、ＣＰＵ１１は、リスト画像ＬＩｘ上の、取得し終えた楽曲データに対応する楽曲表示子ＳＩの色を変更（例えば白から黄に変更）すると共に、取得中の楽曲データに対応する楽曲表示子ＳＩの形を変更（例えば円形から星型に変更）する。さらにＣＰＵ１１は、楽曲表示子ＳＩ間を結ぶ直線Ｌの色を、該当する楽曲データの取得した部分を示すように、直線Ｌの始点から終点に向けて連続的に変更（例えば白から黄に変更）するようになされている。
【００８８】
これにより、ＣＰＵ１１は、リスト画像ＬＩｘ上で、楽曲データの取得状況を、ユーザに対して容易に認識させることができる。
【００８９】
かくして、この第３の実施の形態により記録再生装置１０によれば、リスト画像ＬＩｘを自端末アイコン７０にドラッグアンドドロップする操作によって、リスト画像ＬＩｘに対応するプレイリストＰＬｘに示される楽曲データをサーバから取得するようにしたことにより、容易且つ直感的な操作で、楽曲データをサーバから取得することができる。
【００９０】
（４）第４の実施の形態
次に第４の実施の形態について説明する。この第４の実施の形態では、記録再生装置１０が、上述の第１の実施の形態で説明した機能にくわえて、楽曲データを再生する際に、選択した楽曲表示子ＳＩに対応する楽曲データだけを再生するのではなく、この選択した楽曲表示子ＳＩに対応する楽曲データと、この楽曲データと印象が似ている楽曲データとのなかから、ランダムで指定した楽曲データを再生する類似印象楽曲データ再生機能を有している。
【００９１】
（４−１）類似印象楽曲データ再生機能
実際上、記録再生装置１０のＣＰＵ１１は、ユーザ操作に応じて、三次元画像３Ｄ上に配置された複数の楽曲表示子ＳＩのなかから、少なくとも２個以上の楽曲表示子を選択すると、選択した複数の楽曲表示子ＳＩに対応する複数の楽曲データを、第１の印象項目値ＳＰの小さい順に並べたプレイリストＰＬを生成する。またこのときＣＰＵ１１は、図２４に示すように、選択した複数の楽曲表示子ＳＩのそれぞれを第１の印象項目値ＳＰであるＸ値が小さい順（すなわちプレイリストＰＬの順）に白の直線Ｌで結ぶと共に、選択した複数の楽曲表示子ＳＩのそれぞれに対して楽曲表示子ＳＩを中心とした所定半径でなる半透明の球ＳＣを重ねた、リンク画像ＬＩｓを表示する。
【００９２】
ここで、三次元画像３Ｄ上に配置された複数の楽曲表示子ＳＩは、対応する楽曲データの印象が似ているものほど近くに配置されるようになされているので、この場合の球ＳＣは、球ＳＣの中心に位置する楽曲表示子ＳＩに対応する楽曲データと印象が似ているとみなすことのできる範囲を示すことになる。よってＣＰＵ１１は、この球ＳＣの内側に存在する楽曲表示子ＳＩに対応する楽曲データを、球ＳＣの中心に位置する楽曲表示子ＳＩに対応する楽曲データと印象が似ている楽曲データとして認識するようになされている。
【００９３】
そしてＣＰＵ１１は、このようなリンク画像ＬＩｓを表示している状態で、再生開始ボタン４３が押下されると、これに応じて、選択した複数の楽曲表示子ＳＩのうちの、Ｘ値が最も小さい楽曲表示子ＳＩに対応する楽曲データ（すなわちプレイリストＰＬの１番目に記された楽曲データ）と、この楽曲データと印象が似ていると認識した楽曲データとのなかから、ランダムで指定した楽曲データを読み出して、この楽曲データの再生を開始する。そしてＣＰＵ１１は、この楽曲データの再生が終了すると、つづけて、選択した複数の楽曲表示子ＳＩのうちの、２番目にＸ値が小さい楽曲表示子ＳＩに対応する楽曲データ（すなわちプレイリストＰＬの２番目に記された楽曲データ）と、この楽曲データと印象が似ていると認識した楽曲データとのなかから、ランダムで指定した楽曲データを読み出して、この楽曲データの再生を開始する。そして同様にＣＰＵ１１は、Ｘ値の小さい順（すなわちプレイリストＰＬの順）に、選択した楽曲表示子ＳＩに対応する楽曲データと、この楽曲データと印象が似ていると認識した楽曲データとのなかから、ランダムで指定した楽曲データを再生する。
【００９４】
かくして、この第４の実施の形態による記録再生装置１０によれば、選択した楽曲表示子ＳＩに対応する楽曲データだけを再生するのではなく、この選択した楽曲表示子ＳＩに対応する楽曲データと、この楽曲データと印象が似ている楽曲データとのなかから、ランダムで指定した楽曲データを再生するようにしたことにより、選択した楽曲に限らず、この選択した楽曲と印象が似ている楽曲をユーザに視聴させることができる。
【００９５】
（５）他の実施の形態
なお上述の第１の実施の形態では、複数の楽曲表示子ＳＩを選択すると、記録再生装置１０が、自動的に、選択した複数の楽曲表示子ＳＩの間をＸ値の小さい順に結ぶ直線Ｌを表示するようにした場合について述べたが、本発明はこれに限らず、ユーザ操作に応じて、選択した複数の楽曲表示子ＳＩのそれぞれを結ぶ直線Ｌを表示したり、またこの直線Ｌを削除したりするようにしてもよい。
【００９６】
この場合、記録再生装置１０のＣＰＵ１１は、例えば図２５に示すように、操作領域４２内に、直線Ｌを表示するための線分表示ボタン８０と、直線Ｌを削除するための線分削除ボタン８１とを設けた楽曲選択画面４０を表示する。ここで、線分表示ボタン８０が押下されると、ＣＰＵ１１は、矢印カーソルＣｕを、ペン型のペン型カーソルＣｕｉに変更する。そしてＣＰＵ１１は、ユーザ操作により、このペン型カーソルＣｕｉで、直線Ｌの始点となる楽曲表示子ＳＩと、終点となる楽曲表示子ＳＩとがつづけて選択されると、これら始点となる楽曲表示子ＳＩと終点となる楽曲表示子ＳＩとを結ぶ直線Ｌを表示する。また一方で、線分削除ボタン８１が押下されると、ＣＰＵ１１は、図２６に示すように、矢印カーソルＣｕを、はさみ型のはさみ型カーソルＣｕｊに変更する。そしてＣＰＵ１１は、ユーザ操作により、このはさみ型カーソルＣｕｊで、表示されている直線Ｌが選択されると、この選択された直線Ｌを削除する。
【００９７】
またＣＰＵ１１は、このようにして直線Ｌを表示または削除する毎に、プレイリストを再生成するようにもなされている。つまりＣＰＵ１１は、例えば、楽曲選択領域４１内に、選択した複数の楽曲表示子ＳＩのそれぞれを直線Ｌで結んだ１つのリスト画像ＬＩを表示している状態（図２５）から、ユーザ操作に応じて、このリスト画像ＬＩに含まれる直線Ｌのうちのいくつかを削除することにより、リスト画像ＬＩを、例えばリスト画像ＬＩｐ、ＬＩｑ、ＬＩｒの３つに分割したとする（図２６）。するとＣＰＵ１１は、リスト画像ＬＩに対応するプレイリストを分割して、リスト画像ＬＩｐに対応するプレイリストと、リスト画像ＬＩｑに対応するプレイリストと、リスト画像ＬＩｑに対応するプレイリストを新たに生成する。
【００９８】
さらにＣＰＵ１１は、図２７に示すように、ユーザ操作に応じて、例えば、３つのリスト画像ＬＩｐ、ＬＩｑ、ＬＩｒのうちの、リスト画像ＬＩｐに含まれる楽曲表示子ＳＩと、リスト画像ＬＩｑに含まれる楽曲表示子ＳＩとを結ぶ線分を表示することにより、リスト画像ＬＩｐとリスト画像ＬＩｑとを結合して新たなリスト画像ＬＩｐｑにしたとする。するとＣＰＵ１１は、リスト画像ＬＩｐに対応するプレイリストとリスト画像ＬＩｑに対応するプレイリストとを結合して、リスト画像ＬＩｐｑに対応するプレイリストを新たに生成する。
【００９９】
このように記録再生装置１０は、ユーザ操作に応じて、直線Ｌを表示したり、またこの直線Ｌを削除したりする場合には、直線Ｌの表示及び削除に応じて、その都度プレイリストを再生成するようになされている。ちなみに、直線Ｌの削除により、どの楽曲表示子ＳＩにも結ばれていない孤立した楽曲表示子ＳＩが存在する場合、この楽曲表示子ＳＩに対応する１楽曲データのみのプレイリストは生成しないようにしてもよい。
【０１００】
また上述の第１の実施の形態では、リスト画像ＬＩを表示した状態で、再生開始ボタン４３が押下されると、このリスト画像ＬＩにより示される順（すなわちプレイリストの順）に楽曲データを再生するようにした場合について述べたが、本発明はこれに限らず、例えば、ユーザ操作により、このリスト画像ＬＩにより示される順を無視して、任意の順に楽曲データを再生するようにしてもよい。
【０１０１】
実際上、例えば、ＣＰＵ１１は、図１０に示すようなリスト画像ＬＩを表示している状態で、ユーザ操作により、楽曲表示子ＳＩ８に対応する楽曲データの次に、この楽曲表示子ＳＩ８と直線Ｌで結ばれていない楽曲表示子ＳＩ１に対応する楽曲データを再生するよう指示されると、図２８に示すように、楽曲表示子ＳＩ８と楽曲表示子ＳＩ１とを直線Ｌとは異なる曲線Ｃで結ぶ。
【０１０２】
そしてＣＰＵ１１は、楽曲表示子ＳＩ８に対応する楽曲データの再生を開始すると、楽曲表示子ＳＩ８の形を変更（例えば円形から星型）すると共に、楽曲表示子ＳＩ８に対応する楽曲データの再生位置に応じて、曲線Ｃ上を楽曲表示子ＳＩ８から楽曲表示子ＳＩ８１に向かって移動する再生位置アイコン９０を表示する。
【０１０３】
このようにすることで、記録再生装置１０は、選択した複数の楽曲表示子ＳＩに対応する複数の楽曲データを、リスト画像ＬＩにより示される順とは異なる順に再生する場合であっても、その再生順と、再生中の楽曲データの再生位置とを、ユーザに対して容易に認識させることができる。
【０１０４】
さらに上述の第１の実施の形態では、選択した複数の楽曲表示子ＳＩを、第１の印象項目値ＳＰに基づく順に直線Ｌで結んだが、本発明はこれに限らず、例えば、第２の印象項目値ＥＬに基づく順、第３の印象項目値ＮＥに基づく順、トラック番号に基づく順など、楽曲分析情報３０及び楽曲関連情報に基づくこの他種々の順に直線Ｌで結ぶようにしてもよく、また、どのような順で結ぶのかをユーザに指定させるようにしてもよい。
【０１０５】
さらに上述の第１の実施の形態では、複数の楽曲表示子ＳＩを選択すると、三次元画像３Ｄ上にリスト画像ＬＩを表示するようにした場合について述べたが、本発明はこれに限らず、このリスト画像ＬＩに含まれる楽曲表示子ＳＩに対応する楽曲データのタイトル、収録アルバム名、アーティスト、アルバムジャケット画像などの楽曲関連情報を、リスト画像ＬＩ近傍に表示するようにしてもよい。
【０１０６】
実際上、例えば、上述の第１の実施の形態のように、アーティスト名「中嶋ミナ」の楽曲データを検索した結果得られた複数の楽曲データを、さらに収録アルバム名で分類することにより、アーティスト名が「中嶋ミナ」で収録アルバム名が「MIDDLE ISLAND」である楽曲データのプレイリストを示すリスト画像ＬＩ１と、アーティスト名が「中嶋ミナ」で収録アルバム名が「HALLO」である楽曲データのプレイリストを示すリスト画像ＬＩ2とを表示するとき、記録再生装置１０は、図２９に示すように、これらリスト画像ＬＩ１及びリスト画像ＬＩ２にくわえて、リスト画像ＬＩ１を指し示すと共にアーティスト名が「中嶋ミナ」で収録アルバム名が「MIDDLE ISLAND」である楽曲データのアルバムジャケット画像が描かれた吹き出し画像ＢＩ１と、リスト画像ＬＩ２を指し示すと共にアーティスト名が「中嶋ミナ」で収録アルバム名が「HALLO」である楽曲データのアルバムジャケット画像が描かれた吹き出し画像ＢＩ２とを表示する。
【０１０７】
このようにすることで、記録再生装置１０は、リスト画像ＬＩに含まれる楽曲表示子ＳＩに対応する楽曲データが、どのような楽曲関連情報を持つ楽曲データであるかを、より明確にユーザに認識させることができる。
【０１０８】
さらに上述の第１の実施の形態では、第１の属性情報であるアーティスト名「中嶋ミナ」の楽曲データを検索した結果得られた複数の楽曲データを、さらに第２の属性情報である収録アルバム名で分類するようにした場合について述べたが、本発明はこれに限らず、楽曲関連情報及び楽曲分析情報３０に含まれる属性情報であれば、この他種々の属性情報で検索及び分類を行うようにしてもよい。
【０１０９】
さらに上述の第１の実施の形態では、点状の楽曲表示子ＳＩを表示するようにし、また選択した楽曲表示子ＳＩの色を変えて拡大表示するようにし、さらに再生中の楽曲表示子ＳＩの形を変えるようにした場合などについて述べたが、本発明はこれに限らず、さらに楽曲表示子ＳＩに対応する楽曲データの再生頻度、ジャンルなどに応じて、その色や形を変えるようにしてもよい。
【０１１０】
さらに上述の第１の実施の形態では、選択した複数の楽曲表示子ＳＩを直線Ｌで結ぶようにした場合について述べたが、本発明はこれに限らず、例えば、直線Ｌの始点となる楽曲表示子ＳＩから終点となる楽曲表示子ＳＩへの方向を示す矢印を直線Ｌに付加するようにしてもよい。これにより  楽曲表示子ＳＩが結ばれた順（すなわち楽曲データを再生する順）をより明確にユーザに認識させることができる。
【０１１１】
さらに上述の第２の実施の形態では、プレイリストＰＬ及び楽曲データの転送時、リスト画像ＬＩ上の楽曲表示子ＳＩの色及び形を変更（例えば白から青に変更）すると共に、直線Ｌの色を、直線Ｌの始点から終点に向けて連続的に変更することで、転送状況をユーザに視認させるようにした場合について述べたが、本発明はこれに限らず、例えば図３０に示すように、転送中の楽曲データに対応する楽曲表示子ＳＩを、元の位置から転送先アイコン６０に向けて流れ星のように移動させるアニメーションによって、転送状況をユーザに視認させるようにしてもよい。また、この場合、転送先アイコン６０に向けて移動した楽曲表示子ＳＩに繋がっていた直線Ｌは消去される。
【０１１２】
さらに上述の第３の実施の形態では、サーバから取得したプレイリストＰＬに基づき表示したリスト画像ＬＩを自端末アイコン７０にドラッグアンドドロップするユーザ操作によって、プレイリストＰＬに示される楽曲データをサーバから取得するようにした場合について述べたが、本発明はこれに限らず、例えば、プレイリストＰＬに示される楽曲データが有料であるならば、この楽曲データを取得する際に、サーバがこの楽曲データに対する課金処理を自動で行うようにしてもよい。
【０１１３】
さらに上述の第３の実施の形態では、サーバから送信されるプレイリストＰＬに、少なくとも、タイトルと、楽曲固有のＩＤ番号でなる楽曲識別子ＳＳと、この楽曲識別子ＳＳにより識別される楽曲の第１、第２及び第３の印象項目値ＳＰ、ＥＬ及びＮＥの３値とが記されている場合について述べたが、本発明はこれに限らず、このサーバから送信されるプレイリストＰＬに、例えば、各楽曲のサビ部分を示すサビ部分データの記録場所（ダウンロード先）を追加するようにしてもよい。これにより、記録再生装置１０は、サーバから取得したプレイリストＰＬに基づきリスト画像ＬＩを表示した後、例えば、矢印カーソルＣｕにより、このリスト画像ＬＩに含まれる楽曲表示子ＳＩのひとつが指示されると、この指示された楽曲表示子ＳＩに対応する楽曲データのサビ部分を、プレイリストＰＬに示される記録場所より取得して再生する。こうすることで、記録再生装置１０は、プレイリストＰＬに示される楽曲データをサーバから取得する前に、ユーザに試聴させることができる。
【０１１４】
さらに上述の第３の実施の形態では、プレイリストＰＬをサーバから取得するようにした場合について述べたが、本発明はこれに限らず、例えば、記録再生装置１０で生成したプレイリストＰＬをサーバに転送するようにしてもよい。この場合、記録再生装置１０は、例えば、複数の楽曲表示子ＳＩを選択することで表示したリスト画像ＬＩを、サーバを示す取得先アイコン７１にドラッグアンドドロップするユーザ操作によって、このリスト画像ＬＩに対応させて生成したプレイリストＰＬのサーバへの転送を開始する。
【０１１５】
さらに上述の第３の実施の形態では、サーバが指定したプレイリストＰＬｘ及びプレイリストＰＬｙを記録再生装置１０が取得するようにした場合について述べたが、本発明はこれに限らず、例えば記録再生装置１０が、ユーザにより指定された、好みのアーティスト、好みの印象、好みのジャンルなどといった嗜好情報を登録しておき、サーバからプレイリストＰＬを取得する際に、この嗜好情報をサーバに転送することで、この嗜好情報に合ったプレイリストＰＬをサーバから取得するようにしてもよい。
【０１１６】
さらに上述の第３の実施の形態では、リスト画像ＬＩｘに対するドラッグアンドドロップ操作により、リスト画像ＬＩｘに含まれる楽曲表示子ＳＩに対応する楽曲データ（すなわちサーバから取得したプレイリストＰＬｘに示された楽曲データ）のうち、記録再生装置１０に記録されていない楽曲データをサーバから取得するようにした場合について述べたが、本発明はこれに限らず、例えば、リスト画像ＬＩｘが選択された状態で、再生ボタン４３が押下されると、これに応じて、リスト画像ＬＩｘに含まれる楽曲表示子ＳＩに対応する楽曲データのうち、記録再生装置１０に記録されていない楽曲データを、記録再生装置１０がサーバから取得するようにしてもよい。
【０１１７】
つまり、記録再生装置１０は、リスト画像ＬＩｘに対する再生命令に応じて、このリスト画像ＬＩｘに含まれる楽曲表示子ＳＩに対応する楽曲データのうち、記録再生装置１０に記録されていない楽曲データをサーバから取得することで、ドラッグアンドドロップ操作のような楽曲データの取得操作をユーザに行わせることなく、つまりユーザに対して楽曲データの取得を意識させることなく、リスト画像ＬＩｘに含まれる楽曲表示子ＳＩに対応する楽曲データを再生することができる。
【０１１８】
ここで、実際上、リスト画像ＬＩｘに含まれる楽曲表示子ＳＩに対応する楽曲データを再生する場合、例えば、このリスト画像ＬＩｘに含まれる楽曲表示子ＳＩに対応する楽曲データのうち、記録再生装置１０に記録されていない楽曲データに対しては、楽曲データを取得した後に再生するようにしてもよいし、サーバから取得しつつ再生（いわゆるストリーミング再生）するようにしてもよい。さらにこの場合、１楽曲データが１楽曲分の楽曲データを取得して再生してもよいし、１楽曲データがサビ部分だけでなる楽曲データを取得して再生するようにしてもよい。つまり、リスト画像ＬＩｘに含まれる楽曲表示子ＳＩに対応する楽曲データのうち、記録再生装置１０に記録されていない楽曲データに対しては、そのサビ部分を試聴できるようにしてもよい。
【０１１９】
さらに上述の実施の形態では、コンテンツとして楽曲データを扱う記録再生装置１０に本発明を適用した場合について述べたが、本発明はこれに限らず、この他種々のコンテンツを扱う装置に適用してもよく、例えば、動画像データを扱う記録再生装置、静止画像データを扱う記録再生装置などにも適用することができる。
【０１２０】
さらに上述の実施の形態では、記録再生装置１０のＣＰＵ１１が、ハードディスクドライブ１２またはＲＯＭ１３にインストールされているプログラムに従って、上述したリスト画像表示処理などを実行する場合について述べたが、本発明はこれに限らず、このリスト画像表示処理など実行するためのプログラムを、ＣＤなどの記録媒体に記録しておくようにしてもよい。
【０１２１】
さらに上述の実施の形態では、主として、記録再生装置１０を、表示制御部、選択部、リスト生成部としてのＣＰＵ１１と、線分編集部、線分操作部としての操作キー１５と、取得部としてのネットワークインタフェース１６と、再生部としての音声処理部１８及びスピーカ２３と、表示制御部としての表示コントローラ１９と、転送部としての外部機器インタフェース２０と、表示部としてのディスプレイ２２とで構成するようにした場合について述べたが、本発明はこれに限らず、同様の機能を有するのであれば、この他種々の構成で、記録再生装置１０を構成するようにしてもよい。
【０１２２】
ちなみに、図１に示した表示装置１に接続された表示部２は、図２に示した記録再生装置１０のディスプレイ２２に相当し、表示装置１の表示制御部３（図１）は、記録再生装置１０のＣＰＵ１１及び表示コントローラ１９（図２）に相当し、表示装置１の選択部４（図１）は、記録再生装置１０のＣＰＵ１１（図２）に相当するものである。
【産業上の利用可能性】
【０１２３】
本発明は、表示部を具え、複数の楽曲データを扱うパーソナルコンピュータ、オーディオ機器等で広く利用することができる。
【図面の簡単な説明】
【０１２４】
【図１】表示装置の概要を示す略線図である。
【図２】記録再生装置の構成を示す略線図である。
【図３】楽曲の印象を示すための３種類の項目を示す略線図である。
【図４】楽曲分析情報の構成を示す略線図である。
【図５】三次元画像の構成を示す略線図である。
【図６】楽曲選択画面の構成（１）を示す略線図である。
【図７】楽曲選択画面の構成（２）を示す略線図である。
【図８】楽曲選択画面の構成（３）を示す略線図である。
【図９】プレイリストの構成（１）を示す略線図である。
【図１０】楽曲選択画面の構成（４）を示す略線図である。
【図１１】楽曲選択画面の構成（５）を示す略線図である。
【図１２】プレイリストの構成（２）を示す略線図である。
【図１３】楽曲選択画面の構成（６）を示す略線図である。
【図１４】リスト画像表示処理手順を示すフローチャートである。
【図１５】楽曲選択画面の構成（７）を示す略線図である。
【図１６】楽曲選択画面の構成（８）を示す略線図である。
【図１７】楽曲選択画面の構成（９）を示す略線図である。
【図１８】楽曲選択画面の構成（１０）を示す略線図である。
【図１９】楽曲選択画面の構成（１１）を示す略線図である。
【図２０】プレイリストの構成（３）を示す略線図である。
【図２１】楽曲選択画面の構成（１２）を示す略線図である。
【図２２】楽曲選択画面の構成（１３）を示す略線図である。
【図２３】楽曲選択画面の構成（１４）を示す略線図である。
【図２４】楽曲選択画面の構成（１５）を示す略線図である。
【図２５】楽曲選択画面の構成（１６）を示す略線図である。
【図２６】楽曲選択画面の構成（１７）を示す略線図である。
【図２７】楽曲選択画面の構成（１８）を示す略線図である。
【図２８】楽曲選択画面の構成（１９）を示す略線図である。
【図２９】楽曲選択画面の構成（２０）を示す略線図である。
【図３０】楽曲選択画面の構成（２１）を示す略線図である。
【符号の説明】
【０１２５】
１……表示装置、２……表示部、３……表示制御部、３Ｄ……三次元画像、４……選択部、１０……記録再生装置、１１……ＣＰＵ、１５……操作キー、１６……ネットワークインタフェース、１８……音声処理部、１９……表示コントローラ、２０……外部機器インタフェース、２２……ディスプレイ、２３……スピーカ、Ｌ……直線、ＬＩ……リスト画像、ＰＬ……プレイリスト、ＳＩ……楽曲表示子。
【図１】
0004683290.tif 000002
【図２】
0004683290.tif 000003
【図３】
0004683290.tif 000004
【図４】
0004683290.tif 000005
【図５】
0004683290.tif 000006
【図６】
0004683290.tif 000007
【図７】
0004683290.tif 000008
【図８】
0004683290.tif 000009
【図９】
0004683290.tif 000010
【図１０】
0004683290.tif 000011
【図１１】
0004683290.tif 000012
【図１２】
0004683290.tif 000013
【図１３】
0004683290.tif 000014
【図１４】
0004683290.tif 000015
【図１５】
0004683290.tif 000016
【図１６】
0004683290.tif 000017
【図１７】
0004683290.tif 000018
【図１８】
0004683290.tif 000019
【図１９】
0004683290.tif 000020
【図２０】
0004683290.tif 000021
【図２１】
0004683290.tif 000022
【図２２】
0004683290.tif 000023
【図２３】
0004683290.tif 000024
【図２４】
0004683290.tif 000025
【図２５】
0004683290.tif 000026
【図２６】
0004683290.tif 000027
【図２７】
0004683290.tif 000028
【図２８】
0004683290.tif 000029
【図２９】
0004683290.tif 000030
【図３０】
0004683290.tif 000031